(57)【要約】【課題】  テレビ番組の映像およびＢＧＭやそのテレビ番組のＢＧＭのタイトル名やアーティスト名などの情報を同時に表示させる。【解決手段】  音楽データ検出部２０２において放送データ保持部２０１から供給された放送データ中に含まれる音楽データの開始時および終了時を検出する。音楽データの開始時が検出されるとその音楽データに対応する曲情報を曲情報保持サーバ８００から取得する。この曲情報、音楽データおよび放送データを関連付ける情報が関連情報生成部２０４において生成され関連情報保持部２０５で保持される。音楽データ一覧生成部２０６において生成された音楽データ一覧に基づいて音楽データを選択するとこの音楽データに対応する曲データ、放送データおよび曲情報がそれぞれ曲データ保持部２０９、放送データ保持部２０１および関連情報保持部２０５から出力される。【選択図】      図３
2006301448.tif 000002
【特許請求の範囲】
【請求項１】
記録された放送データを保持する放送データ保持手段と、
前記放送データに含まれる音楽データの開始時および終了時を検出する音楽データ検出手段と、
前記音楽データに基づいて前記音楽データに関する第１の曲情報を取得する第１の曲情報取得手段と、
前記音楽データと前記音楽データの前記開始時から前記終了時までの前記放送データと前記第１の曲情報とを関連付けた情報を生成する関連情報生成手段と、
前記情報を保持する関連情報保持手段と
を具備することを特徴とする記録再生装置。
【請求項２】
前記音楽データ検出手段は、前記放送データ中の字幕情報に基づいて前記音楽データの開始時および終了時を検出することを特徴とする請求項１記載の記録再生装置。
【請求項３】
前記音楽データに関する第１の曲情報を保持する曲情報保持手段をさらに具備し、
前記曲情報取得手段は、前記音楽データに基づいて前記曲情報保持手段から前記第１の曲情報を取得することを特徴とする請求項１記載の記録再生装置。
【請求項４】
前記第１の曲情報取得手段は、前記第１の曲情報として前記音楽データの曲名およびアーティスト名を取得することを特徴とする請求項１記載の記録再生装置。
【請求項５】
前記第１の曲情報取得手段は、前記第１の曲情報としてさらに前記音楽データに対応する曲の詳細情報または前記音楽データに対応するアーティストの詳細情報を取得することを特徴とする請求項４記載の記録再生装置。
【請求項６】
前記音楽データに対応する１曲分のデータである曲データを取得する曲データ取得手段をさらに具備することを特徴とする請求項１記載の記録再生装置。
【請求項７】
前記曲データ取得手段は、
前記曲データの販売に関する情報を取得する曲データ販売情報取得手段と、
前記情報から購入すべき前記曲データを選択させる操作手段と
を具備することを特徴とする請求項６記載の記録再生装置。
【請求項８】
前記曲データ販売情報取得手段は、さらに前記曲データに関連する商品の情報も取得することを特徴とする請求項７記載の記録再生装置。
【請求項９】
前記曲データの再生を要求させる曲データ再生要求手段をさらに具備し、
前記表示手段は、前記曲データの再生中に当該曲データに対応する当該音楽データと関連付けられて保持された前記放送データを表示させることを特徴とする請求項６記載の記録再生装置。
【請求項１０】
前記曲データ再生要求手段は、
前記関連情報保持手段によって保持された前記音楽データの一覧を生成する音楽データ一覧生成手段と、
前記音楽データの一覧から要求すべき音楽データを選択させる操作手段と
を具備することを特徴とする請求項９記載の記録再生装置。
【請求項１１】
前記表示手段は、前記曲データの再生中に当該曲データに対応する当該音楽データと関連付けられて保持された前記放送データを適宜繋ぎ合わせて表示させることを特徴とする請求項９記載の記録再生装置。
【請求項１２】
前記音楽データに対応する１曲分のデータである曲データが記録された記録媒体中の前記曲データに基づいて前記曲データに関する第２の曲情報を取得する第２の曲情報取得手段と、
前記第２の曲情報と同一の内容の前記第１の曲情報を前記関連情報保持手段から検索する曲情報検索手段と、
前記検索において前記第２の曲情報と同一の内容の前記第１の曲情報が検索された場合に前記曲データを再生させる曲データ再生手段とを具備し、
前記表示手段は、前記曲データの再生中に前記第１の曲情報に対応する前記放送データを表示させることを特徴とする請求項１記載の記録再生装置。
【請求項１３】
放送データを受信する受信手段と、
前記放送データに含まれる音楽データの開始時および終了時を検出する音楽データ検出手段と、
前記音楽データに基づいて前記音楽データに関する曲情報を取得する曲情報取得手段と、
前記曲情報を前記音楽データの前記開始時から前記終了時まで表示させる表示手段と
を具備することを特徴とする記録再生装置。
【請求項１４】
記録された放送データを保持する放送データ保持手段と、前記放送データに含まれる音楽データの開始時および終了時を検出する音楽データ検出手段と、前記音楽データに基づいて前記音楽データに関する曲情報を取得する曲情報取得手段と、前記音楽データと前記音楽データの前記開始時から前記終了時までの前記放送データと前記曲情報とを関連付けた情報を生成する関連情報生成手段と、前記情報を保持する関連情報保持手段とを備える記録再生装置と、
前記音楽データに関する曲情報を保持する曲情報保持サーバとを具備し、
前記曲情報取得手段は、前記音楽データに基づいて前記曲情報保持サーバから前記曲情報を取得することを特徴とする記録再生システム。
【請求項１５】
記録された放送データを保持する放送データ保持手段を備えた記録再生装置における放送データ処理方法であって、
前記放送データに含まれる音楽データの開始時および終了時を検出する音楽データ検出手順と、
前記音楽データに基づいて前記音楽データに関する曲情報を取得する曲情報取得手順と、
前記音楽データと前記音楽データの前記開始時から前記終了時までの前記放送データと前記曲情報とを関連付けた情報を生成する関連情報生成手順と、
前記情報を保持する関連情報保持手順と
を具備することを特徴とする放送データ処理方法。
【請求項１６】
放送データを受信する受信手順と、
前記放送データに含まれる音楽データの開始時および終了時を検出する音楽データ検出手順と、
前記音楽データに基づいて前記音楽データに関する曲情報を取得する曲情報取得手順と、
前記曲情報を前記音楽データの前記開始時から前記終了時まで表示させる表示手順と
を具備することを特徴とする放送データ処理方法。
【請求項１７】
記録された放送データを保持する放送データ保持手段を備えた記録再生装置に、
前記放送データに含まれる音楽データの開始時および終了時を検出する音楽データ検出ステップと、
前記音楽データに基づいて前記音楽データに関する曲情報を取得する曲情報取得ステップと、
前記音楽データと前記音楽データの前記開始時から前記終了時までの前記放送データと前記曲情報とを関連付けた情報を生成する関連情報生成ステップと、
前記情報を保持する関連情報保持ステップと
を実行させることを特徴とするプログラム。
【請求項１８】
放送データを受信する受信ステップと、
前記放送データに含まれる音楽データの開始時および終了時を検出する音楽データ検出ステップと、
前記音楽データに基づいて前記音楽データに関する曲情報を取得する曲情報取得ステップと、
前記曲情報を前記音楽データの前記開始時から前記終了時まで表示させる表示ステップと
をコンピュータに実行させることを特徴とするプログラム。
【発明の詳細な説明】
【技術分野】
【０００１】
本発明は、画像データおよび音声データを記録再生させる記録再生装置に関し、特に放送データ中に含まれるＢＧＭ（background music）に関する情報を提示させる記録再生装置、および、これらにおける処理方法ならびに当該方法をコンピュータに実行させるプログラムに関する。
【背景技術】
【０００２】
テレビ番組においては、場面によって様々な種類のＢＧＭを流しそのテレビ番組の内容に一定の効果を与えている。現代においては、テレビなどの映像機器は一般的に普及しており、テレビ番組を通じて流れる音楽に関し視聴者への影響は大きい。例えば、テレビドラマなどで使用された音楽などは、それを発売すれば一般的にいって人気商品となる可能性が高いと言える。このようなＢＧＭについて、そのタイトル名やアーティスト名などは、インターネットのキーワード検索などにより調べることができるようになっている。しかしながら、インターネットにおいてキーワード検索を行うにはその前提としてキーワードを連想するための情報が必要である。
【０００３】
インターネットを用いてキーワード検索を行わなくとも、端的にＢＧＭデータからＢＧＭに対応する曲のタイトル名やアーティスト名を知ることができれば視聴者にとって便利である。このようなことを実現するため、様々なタイプの音楽の波形曲線および曲のタイトル名などを関連付けて保持するサーバからＢＧＭの波形曲線に類似する波形曲線を検索し、その波形曲線に対応する曲のタイトル名などをそのＢＧＭに対応する曲として提供する情報提供システムが提案されている。（例えば、特許文献１参照。）。
【特許文献１】特開２００２−７３６６５号公報（図２）
【発明の開示】
【発明が解決しようとする課題】
【０００４】
しかしながら、上記情報提供システムでは、あくまで曲のタイトル名などを知ることができるにとどまり、ＢＧＭに対応する曲のタイトル名などと一緒にテレビ番組などの映像を見ることができるわけではない。テレビ番組のＢＧＭのタイトル名やアーティスト名などの情報とそのテレビ番組の映像を一緒にして見ることができれば視聴者にとっては便利である。
【０００５】
また、さらにそのテレビ番組のＢＧＭのタイトル名やアーティスト名などの情報とそのテレビ番組の映像、ＢＧＭが同時に流れた画面からそのＢＧＭに関連する商品を購入し、その機器内やその機器とネットワークで繋がれた機器内にその購入した商品を保存できるようにしても便宜である。
【０００６】
そこで、本発明は、テレビ番組の映像およびＢＧＭとそのテレビ番組のＢＧＭのタイトル名やアーティスト名などの情報を関連付けて保持させ、その関連付けに基づいてテレビ番組の映像およびＢＧＭやそのテレビ番組のＢＧＭのタイトル名やアーティスト名などの情報を同時に表示させる記録再生装置を提供することを目的とする。
【課題を解決するための手段】
【０００７】
本発明は、上記課題を解決するためになされたものであり、その第１の側面は、記録された放送データを保持する放送データ保持手段と、上記放送データに含まれる音楽データの開始時および終了時を検出する音楽データ検出手段と、上記音楽データに基づいて上記音楽データに関する第１の曲情報を取得する第１の曲情報取得手段と、上記音楽データと上記音楽データの上記開始時から上記終了時までの上記放送データと上記第１の曲情報とを関連付けた情報を生成する関連情報生成手段と、上記情報を保持する関連情報保持手段とを具備することを特徴とする記録再生装置である。これにより、放送データ、音楽データおよび曲情報を関連付けた情報を生成させるという作用をもたらす。この結果、関連付けた情報に基づいて放送データ、音楽データおよび曲情報を同時に再生することを可能とする。なお、上記第１の曲情報は、曲に関するメタデータである。また、上記関連付けた情報は、放送データ、音楽データおよび曲情報を関連付けたメタデータである。
【０００８】
また、この第１の側面において、上記音楽データ検出手段は、上記放送データ中の字幕情報に基づいて上記音楽データの開始時および終了時を検出することを特徴とするものである。これにより、既にある字幕情報を用いて音楽データの開始時および終了時を検出させるという作用をもたらす。
【０００９】
また、この第１の側面において、上記音楽データに関する第１の曲情報を保持する曲情報保持手段をさらに具備し、上記曲情報取得手段は、上記音楽データに基づいて上記曲情報保持手段から上記第１の曲情報を取得することを特徴とするものである。これにより、曲情報を外部のサーバから取得するよりも効率よく曲情報を取得させるという作用をもたらす。
【００１０】
また、この第１の側面において、上記第１の曲情報取得手段は、上記第１の曲情報として上記音楽データの曲名およびアーティスト名を取得することを特徴とするものである。これにより、曲情報として放送データ中における音楽データの曲名およびアーティスト名を取得させるという作用をもたらす。
【００１１】
また、上記第１の曲情報取得手段は、上記第１の曲情報としてさらに上記音楽データに対応する曲の詳細情報または上記音楽データに対応するアーティストの詳細情報を取得することを特徴とするものである。これにより、曲情報としてさらに上記音楽データに対応する曲の詳細情報または上記音楽データに対応するアーティストの詳細情報を取得させるという作用をもたらす。なお、曲の詳細情報は、曲に関するメタデータである。また、上記アーティストの詳細情報は、アーティストに関するメタデータである。
【００１２】
また、この第１の側面において、上記音楽データに対応する１曲分のデータである曲データを取得する曲データ取得手段をさらに具備することを特徴とするものである。これにより、音楽データに対応する曲データを取得させるという作用をもたらす。
【００１３】
また、上記曲データ取得手段は、上記曲データの販売に関する情報を取得する曲データ販売情報取得手段と、上記情報から購入すべき上記曲データを選択させる操作手段とを具備することを特徴とするものである。これにより、曲データの販売に関する情報に基づいて曲データなどを購入させ取得させるという作用をもたらす。なお、上記曲データの販売に関する情報は、曲データの販売に関するメタデータである。
【００１４】
また、上記曲データ販売情報取得手段は、さらに上記曲データに関連する商品の情報も取得することを特徴とするものである。これにより、曲データそのもののみならず曲データに関連する商品も取得させるという作用をもたらす。なお、上記曲データに関連する商品の情報は、曲データに関連する商品のメタデータである。
【００１５】
また、上記曲データの再生を要求させる曲データ再生要求手段をさらに具備し、上記表示手段は、上記曲データの再生中に当該曲データに対応する当該音楽データと関連付けられて保持された上記放送データを表示させることを特徴とするものである。これにより、曲データと放送データを関連付けて再生させるという作用をもたらす。その結果、曲とテレビ番組の対応が容易につくことになる。
【００１６】
また、上記曲データ再生要求手段は、上記関連情報保持手段によって保持された上記音楽データの一覧を生成する音楽データ一覧生成手段と、上記音楽データの一覧から要求すべき音楽データを選択させる操作手段とを具備することを特徴とするものである。これにより、既に記録した放送データに含まれる音楽データを知らせ、この一覧に基づいて曲データと放送データを再生させるという作用をもたらす。
【００１７】
また、上記表示手段は、上記曲データの再生中に当該曲データに対応する当該音楽データと関連付けられて保持された上記放送データを適宜繋ぎ合わせて表示させることを特徴とするものである。これにより、曲データ再生中にその曲データに関連するテレビ番組の複数のシーンを連続して再生させるという作用をもたらす。結果として、テレビドラマなどのダイジェストを作成させる。
【００１８】
また、この第１の側面において、上記音楽データに対応する１曲分のデータである曲データが記録された記録媒体中の上記曲データに基づいて上記曲データに関する第２の曲情報を取得する第２の曲情報取得手段と、上記第２の曲情報と同一の内容の上記第１の曲情報を上記関連情報保持手段から検索する曲情報検索手段と、上記検索において上記第２の曲情報と同一の内容の上記第１の曲情報が検索された場合に上記曲データを再生させる曲データ再生手段とを具備し、上記表示手段は、上記曲データの再生中に上記第１の曲情報に対応する上記放送データを表示させることを特徴とするものである。これにより、記録媒体に記録された曲データに基づいてこの曲データに関連するテレビドラマなどの放送データを再生させるという作用をもたらす。なお、上記第２の曲情報は、曲に関するメタデータである。
【００１９】
また、本発明の第２の側面は、放送データを受信する受信手段と、上記放送データに含まれる音楽データの開始時および終了時を検出する音楽データ検出手段と、上記音楽データに基づいて上記音楽データに関する曲情報を取得する曲情報取得手段と、上記曲情報を上記音楽データの上記開始時から上記終了時まで表示させる表示手段とを具備することを特徴とする記録再生装置である。これにより、放送データを受信して放送データに含まれる音楽データが出力されるとその音楽データの曲情報をリアルタイムに表示させるという作用をもたらす。なお、上記曲情報は、曲に関するメタデータである。
【００２０】
また、本発明の第３の側面は、記録された放送データを保持する放送データ保持手段と、上記放送データに含まれる音楽データの開始時および終了時を検出する音楽データ検出手段と、上記音楽データに基づいて上記音楽データに関する曲情報を取得する曲情報取得手段と、上記音楽データと上記音楽データの上記開始時から上記終了時までの上記放送データと上記曲情報とを関連付けた情報を生成する関連情報生成手段と、上記情報を保持する関連情報保持手段とを備える記録再生装置と、上記音楽データに関する曲情報を保持する曲情報保持サーバとを具備し、上記曲情報取得手段は、上記音楽データに基づいて上記曲情報保持サーバから上記曲情報を取得することを特徴とする記録再生システムである。これにより、放送データ、音楽データおよび曲情報を関連付けた情報を生成させるという作用をもたらす。なお、上記音楽データに関する曲情報は、曲に関するメタデータである。また、上記関連付けた情報は、上記音楽データと上記音楽データの上記開始時から上記終了時までの上記放送データと上記曲情報とを関連付けたメタデータである。
【００２１】
また、本発明の第４の側面は、記録された放送データを保持する放送データ保持手段を備えた記録再生装置において以下の手順を実行する放送データ処理方法または以下の手順をコンピュータに実行させるプログラムであって、上記放送データに含まれる音楽データの開始時および終了時を検出する音楽データ検出手順と、上記音楽データに基づいて上記音楽データに関する曲情報を取得する曲情報取得手順と、上記音楽データと上記音楽データの上記開始時から上記終了時までの上記放送データと上記曲情報とを関連付けた情報を生成する関連情報生成手順と、上記情報を保持する関連情報保持手順とを具備することを特徴とするものである。これにより、放送データ、音楽データおよび曲情報を関連付けた情報を生成させるという作用をもたらす。なお、上記音楽データに関する曲情報は、曲に関するメタデータである。また、上記関連付けた情報は、上記音楽データと上記音楽データの上記開始時から上記終了時までの上記放送データと上記曲情報とを関連付けたメタデータである。
【００２２】
また、本発明の第５の側面は、放送データを受信する受信手順と、上記放送データに含まれる音楽データの開始時および終了時を検出する音楽データ検出手順と、上記音楽データに基づいて上記音楽データに関する曲情報を取得する曲情報取得手順と、上記曲情報を上記音楽データの上記開始時から上記終了時まで表示させる表示手順とを具備することを特徴とする放送データ処理方法またはこれらの手順をコンピュータに実行させるプログラムである。これにより、放送データを受信して放送データに含まれる音楽データが出力されるとその音楽データの曲情報をリアルタイムに表示させるという作用をもたらす。なお、上記音楽データに関する曲情報は、曲に関するメタデータである。
【発明の効果】
【００２３】
本発明によれば、テレビ番組の映像、ＢＧＭとそのテレビ番組のＢＧＭのタイトル名やアーティスト名などの情報を関連付けて保持させ、その関連付けに基づいてテレビ番組の映像およびＢＧＭやそのテレビ番組のＢＧＭのタイトル名やアーティスト名などの情報を同時に表示させるという優れた効果を奏し得る。
【発明を実施するための最良の形態】
【００２４】
次に本発明の実施の形態について図面を参照して詳細に説明する。
【００２５】
図１は、本発明の実施の形態における記録再生システムの構成の一例を示す図である。この記録再生システムは、記録再生装置１００と、放送局６００と、ネットワーク網７００と、曲情報保持サーバ８００とから構成される。なお、放送局および曲情報保持サーバは、一つに限るものではなく複数あってもよい。
【００２６】
記録再生装置１００は、放送局６００から放送データを受信し放送データの記録および再生などの処理を行う。なお、放送局が複数ある場合には、それに対応して記録再生装置１００は、複数の放送局からの放送データを同時に受信できるよう複数のチューナーを設けてもよい。また、記録再生装置１００は、曲情報保持サーバ８００から曲のタイトル名、アーティスト名、曲の詳細情報およびアーティストの詳細情報など（以下、曲のタイトル名、アーティスト名、曲の詳細情報およびアーティストの詳細情報などを総称して「曲情報」と呼ぶ。）を受信し所定の処理を行う。放送局６００は、送信すべき放送データを送信するものである。なお、放送データには、画像データ、音楽データおよび字幕情報などの付加情報データも含むものと想定する。また、本発明の実施の形態における放送データには、インターネットなどのネットワーク網７００を通じて配信される放送データも含むものとする。
【００２７】
ネットワーク網７００は、例えばインターネットが想定される。また、ネットワーク網７００は、その他の専用回線を用いたネットワーク網であってもよい。曲情報保持サーバ８００は、送信されてきた音楽の波形データに基づいてそれに対応する曲のタイトル名、アーティスト名、曲の詳細情報およびアーティストの詳細情報などを音楽の波形データの送信元に送信するものである。曲情報が保持されているサーバは、例えばＣＤＤＢ（CD DataBase）が該当する。
【００２８】
図２は、本発明の実施の形態における記録再生装置１００の構成の一例を示す図である。記録再生装置１００は、アンテナ１０１と、受信部１０２と、記録再生処理部１０３と、データ処理部１０４と、データ記憶部１０５と、ディスクインターフェース１０６と、音声制御部１０７と、表示制御部１０８と、操作制御部１０９と、通信インターフェース１１０と、音声出力部１１１と、表示部１１２と、操作入力部１１３と、通信部１１４とを備える。アンテナ１０１は、空間を伝わって来た電波をとらえる役割を果たす。受信部１０２は、アンテナ１０１から供給されてきた受信データに対し復調処理およびＤ／Ａ変換などの処理を行うものである。
【００２９】
記録再生処理部１０３は、受信部１０２から供給されたデータを、例えば、ＭＰＥＧ−２（Moving Picture Expert Group-2）規格に従って符号化などを行うものである。符号化されたデータは、データ記憶部１０５またはディスクインターフェース１０６に供給される。また、記録再生処理部１０３は、データ記憶部１０５またはディスクインターフェース１０６から供給されたデータに対し復号処理などを行う。この復号されたデータは、音声制御部１０７や、表示制御部１０８に供給される。
【００３０】
データ処理部１０４は、本発明の実施の形態における記録再生装置１００全体の処理を司るものである。データ記憶部１０５は、記録再生処理部１０３およびデータ処理部１０４などから供給されたデータを記憶しておくものである。データ記憶部１０５は、例えばハードディスク（Hard Disk）を用いることが想定される。ディスクインターフェース１０６は、記録再生処理部１０３において所定の処理を施されたデータをディスク１１５に書き込む。また、ディスクインターフェース１０６は、ディスク１１５からデータを読み出して記録再生処理部１０３に供給する。なお、ディスク１１５は、ＣＤ、ＤＶＤなどの光ディスク（optical disk）が想定される。また、ディスク以外の記憶媒体を利用することもできる。
【００３１】
音声制御部１０７は、供給された音楽データを音声出力部１１１に供給する。この音声出力部１１１から音楽データは出力される。表示制御部１０８は、供給された画像データを、例えばＬＣＤ（Liquid Crystal Display）などにより構成された表示部１１２に供給する。表示部１１２において画像データは出力される。操作制御部１０９は、操作入力部１１３から供給された操作信号をデータ処理部１０４に供給する。
【００３２】
通信インターフェース１１０は、データ処理部１０４などから供給されたデータよりフレームを生成し、その生成したフレームを通信部１１４に供給する。また、通信部１１４から供給されたフレームに対し所定の処理を行いデータ処理部１０４に供給する。通信部１１４は、ネットワーク上から電気信号で供給されたデータをデータ処理部１０４で扱えるデータに変換する処理を行う。また、通信部１１４は、データ処理部１０４から送られてきたデータを電気信号にしてネットワーク上に送る処理を行う。
【００３３】
図３は、音楽データに基づいて曲データと放送データを再生させる本発明の実施の形態における再生機能の構成の一例を示す図である。なお、曲データとは、音楽データに対応する１曲分の曲のデータをいうものとする。本発明の実施の形態における再生機能は、放送データ保持部２０１と、音楽データ検出部２０２と、曲情報取得部２０３と、関連情報生成部２０４と、関連情報保持部２０５と、音楽データ一覧生成部２０６と、曲データ販売情報取得部２０７と、操作部２０８と、曲データ保持部２０９と、曲情報検索部２１０とを備える。
【００３４】
放送データ保持部２０１は、放送データを保持するものである。この放送データは、例えば、放送局６００から送信された放送データを記録再生装置１００自身で記録したものが想定される。また、放送データは、他の記録再生装置において光ディスクなどの記録媒体に記録されたものを、記録再生装置１００において保持したものであってもよい。また、放送データ保持部２０１は、後述する音楽データ一覧生成部２０６および曲情報検索部２１０からの要求を受けて放送データを表示制御部１０８に供給する。供給された放送データは、表示部１１２において表示される。
【００３５】
音楽データ検出部２０２は、放送データ中に含まれる音楽データの開始時および終了時を検出するものである。この音楽データにおける音楽は、本発明の実施の形態においては例えばＢＧＭが想定され、以下音楽データをＢＧＭデータとして説明する。ＢＧＭデータの検出は、例えば、放送データに含まれる字幕情報に基づいて行うことができる。すなわち、字幕情報においてＢＧＭデータが再生される時には「♪」マークが挿入されるため、「♪」マークを放送データの字幕情報から検出することにより、ＢＧＭデータの開始時および終了時を検出することが可能である。
【００３６】
また、ＢＧＭデータのような音楽データは他のデータと違って特徴的な波形を持っている。この特徴的な波形を検出することによってもＢＧＭデータの開始時および終了時は検出可能である。音楽データ検出部２０２において検出されたＢＧＭデータの開始時および終了時は、曲情報取得部２０３に供給される。
【００３７】
曲情報取得部２０３は、ＢＧＭデータの開始時にＢＧＭデータに対応する曲情報を取得するものである。すなわち、音楽データ検出部２０２からＢＧＭの開始時を供給されると、曲情報保持サーバ８００に対しそのＢＧＭデータに対応する曲情報を要求する。曲情報の要求に際しては、例えばＢＧＭの波形データを曲情報保持サーバ８００に送信する。曲情報保持サーバ８００は、送信されてきたＢＧＭの波形データに基づいて曲情報を検索し曲情報取得部２０３に該当する曲情報を送信する。
【００３８】
なお、曲情報の取得に際しては、曲情報保持サーバ８００ではなく、本発明の実施の形態における記録再生装置１００内に曲情報保持サーバ８００と同様の機能を備える（図示しない）曲情報保持部を設け、ここから曲情報を取得するように構成してもよい。
【００３９】
曲情報取得部２０３において取得された曲情報は、関連情報生成部２０４に供給される。また、放送データを受信中に曲情報を表示部１１２に表示させる場合には、曲情報取得部２０３において取得された曲情報は、そのまま表示制御部１０８に供給される。
【００４０】
また、曲データの記録されたディスク１１５がディスクインターフェース１０６に挿入された場合、曲情報取得部２０３は、曲情報保持サーバ８００に対しその曲データの曲情報を要求し、取得する。この場合も上記で説明したのと同様に曲データの波形データを曲情報保持サーバ８００または（図示しない）曲情報保持部に対して送信し、対応する曲情報を取得する。この取得された曲情報は、曲情報検索部２１０に供給される。
【００４１】
関連情報生成部２０４は、曲情報取得部２０３から供給された放送データ、ＢＧＭデータおよび曲情報に基づいてそれぞれを関連付けた情報（以下、関連付け情報と呼ぶ。）を生成するものである。すなわち、ＢＧＭデータ、ＢＧＭデータの開始時から終了時までに対応する放送データおよびＢＧＭデータに対応する曲の曲情報を関連付ける。この場合、例えばＢＧＭデータに対しＢＧＭ＿ＩＤを付し、放送データに対し放送データＩＤを付してＩＤ（Identification）によって関連付けることが想定される。なお、この放送データＩＤは、ＢＧＭデータ１つ分が含まれる放送データごとに付してもよいし、放送番組１話ごとに付してもよい。また、その他の単位で放送データＩＤを付してもよい。
【００４２】
この関連情報生成部２０４において生成された関連付け情報は、関連情報保持部２０５に供給される。関連情報保持部２０５は、関連情報生成部２０４から供給された関連付け情報を保持する。
【００４３】
音楽データ一覧生成部２０６は、関連情報保持部２０５において保持された関連付け情報に基づいてＢＧＭデータの一覧を生成するものである。このＢＧＭデータの一覧は、曲のタイトル名およびアーティスト名に基づいた一覧が想定される。また、ＢＧＭデータの一覧は、ＢＧＭデータを曲の雰囲気に基づいて分類した一覧であってもよい。具体的には、「癒し系」、「悲しい系」など感性認識に基づいた一覧である。この感性認識に基づいた一覧の生成は、ＢＧＭデータの波形の振幅の大きさなどの要素に基づいて行う。また、ＢＧＭデータの一覧は、テレビ番組名に基づいて分類し、そのテレビ番組に対応するＢＧＭデータに対応する曲のタイトル名およびアーティストの一覧でもよい。
【００４４】
このＢＧＭデータの一覧は、表示制御部１０８に供給され表示部１１２において表示される。操作部２０８において、ＢＧＭデータの一覧から特定のＢＧＭデータを選択すると、その選択されたＢＧＭデータに対応する曲データを音声制御部１０７に出力するよう音楽データ一覧生成部２０６は、曲データ保持部２０９に対し要求を行う。また、その選択されたＢＧＭデータに対応する放送データを表示制御部１０８に出力するよう音楽データ一覧生成部２０６は、放送データ保持部２０１に対し要求を行う。なお、ＢＧＭデータの一覧がテレビ番組名に基づいて分類されている場合にテレビ番組名を選択するとそのテレビ番組においてＢＧＭデータに対応する曲データが順に出力される。
【００４５】
曲データ販売情報取得部２０７は、ＢＧＭデータに対応する曲に関連する商品の販売情報（以下、曲データ販売情報と呼ぶ。）を取得するものである。ＢＧＭデータに対応する曲に関連する商品とは、例えば曲データのＭＰ３（MPEG Audio Layer-3）データ、シングルＣＤ、その曲データが挿入されたアルバムＣＤおよび携帯電話の着信音楽などを言う。曲データに関連する商品の販売情報とは、例えば、曲データに関連する商品の販売価格や在庫状況などを言う。操作部２０８は、ユーザーの要求に応じた選択をさせるものである。この操作部２０８は、リモコン式であってもよいし、また、ユーザーの音声に感応する音声式であってもよい。
【００４６】
この曲データ販売情報は、ネットワーク網７００を通じて曲データ販売情報を保持する専用のサーバに対し要求を行うことによって取得可能である。取得された曲データ販売情報は、表示制御部１０８に供給され表示部１１２において表示される。操作部２０８において購入すべき商品を選択すると、選択した商品が購入可能である。購入した商品がネットワークを通じてダウンロード可能なものである場合、曲データ保持部２０９においてそのダウンロード可能なデータは保持される。
【００４７】
曲データ保持部２０９は、曲データを保持するものである。曲データ保持部２０９において保持される曲データは、例えば曲データ販売情報取得部２０７によって取得された曲販売情報を通じて購入したダウンロード可能な曲データおよび曲データが記録された記録媒体から転送された曲データが想定される。また、曲データ保持部２０９は、音楽データ一覧生成部２０６からの要求を受けて、対応する曲データを音声制御部１０７に供給し、その曲データは音声出力部１１１から出力される。
【００４８】
曲情報検索部２１０は、ディスク１１５に含まれる曲データの曲情報と同一の曲情報があるか否かを関連情報保持部２０５から検索するものである。なお、ディスク１１５に含まれる曲データの曲情報は、上述のように曲情報取得部２０３において取得される。検索の結果、同一の曲情報があるとされた場合、その曲情報に対応する放送データを表示制御部１０８に出力するよう曲情報検索部２１０は、放送データ保持部２０１に要求を行う。なお、ディスク１１５に含まれる曲データの曲情報と同一の曲情報が複数検索された場合は、複数の対応する放送データを表示制御部１０８に出力するよう曲情報検索部２１０は、放送データ保持部２０１に要求を行う。この場合、放送データ保持部２０１は、要求された複数の放送データを適宜、繋ぎ合わせて出力する。
【００４９】
なお、放送データ保持部２０１と、関連情報保持部２０５と、曲データ保持部２０９とは、主としてデータ記憶部１０５により実現可能である。また、音楽データ検出部２０２と、曲情報取得部２０３と、関連情報生成部２０４と、音楽データ一覧生成部２０６と、曲データ販売情報取得部２０７と、曲情報検索部２１０とは、主としてデータ処理部１０４により実現可能である。また、操作部２０８は、操作制御部１０９および操作入力部１１３により実現可能である。
【００５０】
図４は、本発明の実施の形態における記録再生装置１００のソフトウェア構成の一例を示す図である。なお、図３と同様に図４においても音楽データは、ＢＧＭデータと想定して説明する。
【００５１】
このソフトウェア構成例は、ＢＧＭ管理システム３００と、字幕取得モジュール３７０と、再生／記録制御モジュール３８０と、ＧＵＩ（Ｇｒａｐｈｉｃａｌ  Ｕｓｅｒ  Ｉｎｔｅｒｆａｃｅ）制御モジュール３９０とを備える。なお、ＢＧＭ管理システム３００と、字幕取得モジュール３７０と、再生／記録制御モジュール３８０と、ＧＵＩ制御モジュール３９０は、主としてデータ処理部１０４において実現されるものである。また、ＢＧＭ管理システム３００中のＢＧＭ関連情報データベース３５０については、データ記憶部１０５において実現されるものである。
【００５２】
字幕取得モジュール３７０は、放送データ中に含まれる字幕情報を取得するものである。本発明の実施の形態においては、必要な字幕情報は、ＢＧＭデータが再生される時に挿入される「♪」マークである。再生／記録制御モジュール３８０は、曲データ、放送データなどの再生および記録に関する処理を行うものである。例えば、放送データおよび曲データなどに関する情報を管理し、要求に応じて放送データおよび曲データなどのデータの記録再生に関する処理を行う。ＧＵＩ制御モジュール３９０は、表示部１１２に対する表示に関する処理行うものである。
【００５３】
ＢＧＭ管理システム３００は、ＢＧＭデータと曲データおよび放送データを関連づけた情報を管理するシステムである。ＢＧＭ管理システム３００は、ＢＧＭ関連メッセージ送受信モジュール３１０と、ＢＧＭ検出モジュール３２０と、ＢＧＭ関連情報生成モジュール３３０と、ＢＧＭ関連情報商品購買モジュール３４０と、ＢＧＭ関連情報データベース３５０とを備える。
【００５４】
ＢＧＭ関連メッセージ送受信モジュール３１０は、ＢＧＭ検出モジュール３２０と、ＢＧＭ関連情報生成モジュール３３０と、ＢＧＭ関連情報商品購買モジュール３４０と、字幕取得モジュール３７０と、再生／記録制御モジュール３８０と、ＧＵＩ制御モジュール３９０との間におけるメッセージの送受信に関する処理を行うものである。各モジュールは、ＢＧＭ関連メッセージ送受信モジュール３１０を介してメッセージのやりとりを行う。
【００５５】
ＢＧＭ検出モジュール３２０は、ＢＧＭデータの開始時および終了時の検出を行うものである。上述のように字幕情報においてＢＧＭデータが再生される時には「♪」マークが挿入される。字幕取得モジュール３７０において取得された字幕情報に基づいてＢＧＭ検出モジュール３２０においてＢＧＭデータの開始時および終了時が検出される。ＢＧＭ関連情報商品購買モジュール３４０は、ＢＧＭデータに関する商品の購買処理を行うものである。具体的には、ＢＧＭ関連情報商品購買モジュール３４０は、曲データ販売情報に基づいたユーザーの要求に応じて曲データなどの購買処理を行う。
【００５６】
ＢＧＭ関連情報生成モジュール３３０は、ＢＧＭ再生／記録制御要求モジュール３３１と、ＢＧＭ関連情報ＧＵＩ表示要求モジュール３３２と、ＢＧＭ関連情報取得モジュール３３３と、ＢＧＭ関連情報管理モジュール３３４とを備える。ＢＧＭ再生／記録制御要求モジュール３３１は、ＢＧＭデータに対応する放送データに関する情報の要求や再生すべき放送データの要求などを行う。ＢＧＭ関連情報ＧＵＩ表示要求モジュール３３２は、ＢＧＭデータに対応する曲情報を表示するか否かの要求を行う。
【００５７】
ＢＧＭ関連情報取得モジュール３３３は、ＢＧＭデータに対応する曲情報の取得処理、曲データ販売情報の取得処理などを行う。ＢＧＭ関連情報管理モジュール３３４は、取得された曲情報、放送データに関する情報およびＢＧＭデータに関する情報などの管理を行う。具体的には、取得された曲情報、放送データに関する情報およびＢＧＭデータに関する情報など管理すべき情報をＢＧＭ関連情報データベース３５０に保存し、要求に応じてこのＢＧＭ関連情報データベース３５０を参照して要求された情報の出力などを行うものである。ＢＧＭ関連情報データベース３５０は、上記のように取得された曲情報、放送データに関する情報およびＢＧＭデータに関する情報を関連付けて保持するものである。
【００５８】
図５は、ＢＧＭ関連情報データベース３５０の構成の一例を示す図である。ＢＧＭ関連情報データベース３５０は、ＢＧＭ＿ＩＤ３５１と、放送データＩＤ３５２と、ＢＧＭタイトル３５３と、ＢＧＭアーティスト３５４と、ジャンルＡ３５５と、ジャンルＢ３５６と、ＢＧＭ所在３５７と、放送番組名３５８と、開始タイムコード３５９と、終了タイムコード３６０とを備える。
【００５９】
ＢＧＭ＿ＩＤ３５１は、放送データ中に含まれるＢＧＭデータ１つ１つをユニークに識別するＩＤである。タイトルおよびアーティストが同一のＢＧＭデータが複数存在することが想定されるが、この場合であっても両者は、放送データ中で用いられている場面などが相違すれば別のＢＧＭ＿ＩＤ３５１を有することになる。図５においてＢＧＭ＿ＩＤ３５１は、「００１」、「００２」、「００３」で表されている。放送データＩＤ３５２は、例えばＢＧＭデータ１つ分が含まれる放送データ１つ１つをユニークに識別するＩＤである。なお、上述のように放送データＩＤは、ＢＧＭデータを記録するごとに付してもよいし、その他の単位で放送データＩＤを付してもよいのでそれに合わせてこの放送データＩＤ３５２に対応する放送データの内容は変わる。図５において放送データＩＤ３５２は、「００１」、「００２」、「００３」で表されている。
【００６０】
ＢＧＭタイトル３５３は、ＢＧＭデータに対応する曲のタイトルである。ＢＧＭアーティスト３５４は、ＢＧＭデータに対応する曲のアーティスト名である。ジャンルＡ３５５は、例えばＢＧＭデータに対応する曲の楽調面から捉えたジャンルが入る。図５においては、ジャンルＡ３５５は、「ポップス」と表されている。他には、例えば「ロック」、「クラシック」などがある。ジャンルＢ３５６は、例えばＢＧＭデータに対応する曲の感性認識面から捉えたジャンルが入る。図５においては、「癒し系」、「悲しい系」と表されている。他には、例えば「楽しい系」などがある。
【００６１】
ＢＧＭ所在３５７は、ＢＧＭデータに対応する曲データの物理的な所在を示すものである。「機器内」の場合、ＢＧＭデータに対応する曲データはＢＧＭ関連情報データベース３５０を保持する記録再生装置１００自身が保持していることを示している。また、「ＰＣ１」および「ＰＣ２」の場合、ＢＧＭデータに対応する曲データはＢＧＭ関連情報データベース３５０を保持する記録再生装置１００自身が保持するのではなく、「ＰＣ１」および「ＰＣ２」で表わされる外部機器において保持されていることを示している。
【００６２】
放送番組名３５８は、ＢＧＭデータが使用されている番組名を示すものである。開始タイムコード３５９は、ＢＧＭデータが開始する放送データの時間を示すものである。すなわち、開始タイムコード３５９は、放送データＩＤに対応する放送データの始めからＢＧＭデータが開始するまでの時間を示す。終了タイムコード３６０は、ＢＧＭデータが終了する放送データの時間を示すものである。すなわち、終了タイムコード３６０は、放送データＩＤに対応する放送データの始めからＢＧＭデータが終了するまでの時間を示す。（なお、以下、開始タイムコード３５９および終了タイムコード３６０を総称してタイムコードと呼ぶ。）
【００６３】
図６は、本発明の実施の形態において用いられるメッセージのフォーマットとメッセージＩＤの種類を示す図である。図６（ａ）は、メッセージのフォーマットを示す図である。メッセージフォーマット４００は、メッセージＩＤ４０１と、シーケンス番号４０２と、応答フラグ４０３と、ペイロード長４０４とから成るヘッダ部と、ペイロード４０５とを備える。
【００６４】
メッセージＩＤ４０１は、本発明の実施の形態における記録再生装置１００において内部のやりとりで用いられるメッセージの種類を示すものである。シーケンス番号４０２は、メッセージをユニークに識別する番号である。応答フラグ４０３は、メッセージにおける応答に関する情報を示すものである。応答フラグが「０」の場合、応答がいらないメッセージであることを示す。応答フラグが「１」の場合、応答が必要なメッセージであることを示す。応答フラグが「２」の場合、応答が必要なメッセージに対して応答したメッセージであることを示す。
【００６５】
ペイロード長４０４は、ペイロードに含まれるデータの容量を示すものである。図６（ａ）においては、「１０」、「１５」および「２０」と示されているが、単位は「バイト」である。ペイロードは、ヘッダ部分を除いたデータ本体を収めた部分である。
【００６６】
図６（ｂ）は、図６（ａ）におけるメッセージＩＤ４０１のメッセージの種類の一例を列挙した図である。メッセージＩＤ「００１」は、ＢＧＭ検出系のメッセージを示すものである。具体的には、メッセージＩＤ「００１」は、図４において示したＢＧＭ検出モジュール３２０から出されるＢＧＭデータの検出に関するメッセージである。メッセージＩＤ「００２」は、ＢＧＭ記録制御系のメッセージを示すものである。具体的には、メッセージＩＤ「００２」は、図４において示したＢＧＭ再生／記録制御要求モジュール３３１から出される放送データに関する情報を要求するメッセージである。
【００６７】
メッセージＩＤ「００３」は、ＢＧＭ記録制御応答系のメッセージを示すものである。具体的には、メッセージＩＤ「００３」は、図４において示したＢＧＭ再生／記録制御要求モジュール３３１においてメッセージＩＤ「００２」に対する応答として受け取るべきメッセージである。メッセージＩＤ「００４」は、ＢＧＭ再生制御系のメッセージを示すものである。具体的には、メッセージＩＤ「００４」は、図４において示したＢＧＭ再生／記録制御要求モジュール３３１から出される再生すべきＢＧＭデータに対応する放送データに関する情報を示すメッセージである。
【００６８】
メッセージＩＤ「００５」は、ＢＧＭ関連情報取得系のメッセージを示すものである。具体的には、メッセージＩＤ「００５」は、図４において示したＢＧＭ関連情報取得モジュール３３３から出されるＢＧＭデータに対応する曲情報、曲データ販売情報などを要求するメッセージである。メッセージＩＤ「００６」は、ＢＧＭ関連情報取得応答系のメッセージを示すものである。具体的には、メッセージＩＤ「００６」は、図４において示したＢＧＭ関連情報取得モジュール３３３においてメッセージＩＤ「００５」に対する応答として受け取るべきメッセージである。メッセージＩＤ「００７」は、ＢＧＭ表示制御系のメッセージを示すものである。具体的には、メッセージＩＤ「００７」は、図４において示したＢＧＭ関連情報ＧＵＩ表示要求モジュール３３２から出されるＢＧＭデータに対応する曲情報の表示に関するメッセージである。
【００６９】
メッセージＩＤ「００８」は、ＢＧＭ関連商品購買系のメッセージを示すものである。具体的には、メッセージＩＤ「００８」は、図４において示したＢＧＭ関連情報商品購買モジュール３４０から出される商品の購買に関するメッセージである。メッセージＩＤ「００９」は、ＢＧＭ関連商品購買応答系のメッセージを示すものである。具体的には、メッセージＩＤ「００９」は、図４において示した関連情報商品購買モジュール３４０においてメッセージＩＤ「００８」に対する応答として受け取るべきメッセージである。
【００７０】
図７は、メッセージＩＤ「００１」乃至「００３」におけるメッセージの内容を示す図である。図７（ａ）は、メッセージＩＤが「００１」の場合のメッセージの内容を示す図である。メッセージＩＤが「００１」の場合、ＢＧＭデータを検出した旨を伝えるメッセージであるため、特に応答は必要ないことから応答フラグは「０」になっている。ＢＧＭ検出ステータスは、ペイロード４０５に挿入されるデータである。ＢＧＭ検出ステータスが「１」の場合は、ＢＧＭデータの開始時を検出した旨を示すものであり、「０」の場合は、ＢＧＭデータの終了時を検出した旨を示すものである。これらは、「１」または「０」の２種類で示すことが可能であるため、ペイロード長は１ビットとなっている。
【００７１】
図７（ｂ）は、メッセージＩＤが「００２」の場合のメッセージの内容を示す図である。メッセージＩＤが「００２」の場合、放送データに関する情報を要求するメッセージでこれに対する応答は必要であることから応答フラグは「１」になっている。コマンド番号は、ペイロード４０５に挿入されるデータである。コマンド番号は、放送データＩＤとタイムコードを要求する場合には「１」とする。これらは、「１」または「０」の２種類で示すことが可能であるため、ペイロード長は１ビットとなっている。
【００７２】
図７（ｃ）は、メッセージＩＤが「００３」の場合のメッセージの内容を示す図である。メッセージＩＤが「００３」の場合、メッセージＩＤが「００２」のメッセージに対応する応答メッセージである。すなわち、メッセージＩＤが「００２」のメッセージにおいて要求された放送データＩＤとタイムコードに対応する応答メッセージである。ペイロード４０５には、放送データＩＤとタイムコードが挿入される。タイムコードは、例えば図５において説明した開始タイムコードと終了タイムコードが該当する。
【００７３】
図８は、メッセージＩＤ「００４」乃至「００６」におけるメッセージの内容を示す図である。図８（ａ）は、メッセージＩＤが「００４」の場合のメッセージの内容を示す図である。メッセージＩＤが「００４」の場合、再生すべきＢＧＭデータに対応する放送データに関する情報を伝えるメッセージである。この場合、再生すべき要求の場合は、コマンド番号は「１」で、再生を停止すべき要求の場合は、コマンド番号は「０」とする。その他の情報として、再生すべき曲データの特定のためのＢＧＭ＿ＩＤ、再生すべき放送データの特定のための放送データＩＤ、放送データＩＤで特定された放送データ中におけるＢＧＭデータの開始時と終了時を特定するためのタイムコードが挿入される。
【００７４】
図８（ｂ）は、メッセージＩＤが「００５」の場合のメッセージの内容を示す図である。メッセージＩＤ「００５」は、上記のようにＢＧＭ関連情報取得モジュール３３３にから出されるＢＧＭデータに対応する曲情報、曲データ販売情報などを要求するメッセージである。ペイロード４０５中のコマンド番号が「０」の場合、ＢＧＭ＿ＩＤで特定された曲に対応する曲情報を要求するメッセージである。また、コマンド番号が「１」の場合、ＢＧＭ＿ＩＤで特定された曲に対応する曲データ販売情報を要求するメッセージである。
【００７５】
図８（ｃ）は、メッセージＩＤが「００６」の場合のメッセージの内容を示す図である。メッセージＩＤ「００６」は、上記のようにＢＧＭ関連情報取得モジュール３３３においてメッセージＩＤ「００５」に対する応答として受け取るべきメッセージである。ペイロード４０５中の「表示情報」には、メッセージＩＤが「００５」のメッセージにおいて要求されたＢＧＭ＿ＩＤに対応する曲情報または曲データ販売情報が挿入される。
【００７６】
図９は、メッセージＩＤ「００７」乃至「００９」におけるメッセージの内容を示す図である。図９（ａ）は、メッセージＩＤが「００７」の場合のメッセージの内容を示す図である。メッセージＩＤ「００７」は、上記のようにＢＧＭ関連情報ＧＵＩ表示要求モジュール３３２から出されるＢＧＭデータに対応する曲情報の表示に関するメッセージである。ペイロード４０５中のコマンド番号が「１」の場合、ＢＧＭ＿ＩＤで特定された曲に対応する曲情報を表示させる要求を表す。この曲情報は、「表示情報」にその内容が挿入される。一方、ペイロード４０５中のコマンド番号が「０」の場合、表示部１１２に表示されている情報を非表示にする旨の要求を表す。
【００７７】
図９（ｂ）は、メッセージＩＤが「００８」の場合のメッセージの内容を示す図である。メッセージＩＤ「００８」は、上記のようにＢＧＭ関連情報商品購買モジュール３４０から出される商品の購買を要求する旨のメッセージである。ペイロード４０５中の商品ＩＤは、曲データ販売情報中における商品を特定するＩＤである。保存先番号は、商品ＩＤで特定される商品がダウンロード可能な商品である場合、そのダウンロード先を特定するものである。図９（ｂ）において「１」は例えばメッセージを発した記録再生装置１００自身を示し、「２」はネットワークを構成する他の装置などを示すものである。
【００７８】
図９（ｃ）は、メッセージＩＤが「００９」の場合のメッセージの内容を示す図である。メッセージＩＤ「００９」は、上記のように関連情報商品購買モジュール３４０においてメッセージＩＤ「００８」に対する応答として受け取るべきメッセージである。ペイロード４０５中の「結果」には、メッセージＩＤ「００８」における商品購入が成功したか否かが挿入される。図９（ｃ）において、例えば「結果」が「１」の場合は、商品の購入が成功した旨を表し、「結果」が「０」の場合は、商品の購入が失敗した旨を表している。
【００７９】
図１０は、本発明の実施の形態における記録再生装置１００においてＢＧＭデータに対応する曲のタイトル名およびアーティスト名を表示させた表示画面の一例を示す図である。本発明の実施の形態における記録再生装置１００において記録された放送データを再生中にＢＧＭデータが再生されるとそのＢＧＭデータに対応する曲情報５０２が表示画面５０１の右上方に表示される。図１０においては、曲情報のうち曲のタイトル名とアーティスト名が表示されている。
【００８０】
この曲情報５０２は、放送データ中においてＢＧＭデータが検出されるとそのＢＧＭデータの波形データを曲情報保持サーバ８００に送信し、その波形データに基づいて曲情報保持サーバ８００は、そのＢＧＭデータに対応する曲情報を本発明の実施の形態における記録再生装置１００に送信する。この曲情報保持サーバ８００から送信された曲情報が表示画面５０１に表示されることになる。また、曲情報保持サーバ８００からではなく、記録再生装置１００自身が保持する図示しない曲情報保持部からＢＧＭデータに対応する曲のタイトル名およびアーティスト名を取得して表示させてもよい。
【００８１】
なお、記録された放送データでなく、放送局６００から受信した放送データを表示画面に表示させているときに上記と同様の処理を経てリアルタイムに曲情報５０２を取得して表示させるものであってもよい。
【００８２】
曲情報保持サーバ８００から送信されてきた曲情報は、記録再生装置１００において保持される。次回同じ放送データを再生する際には、曲情報保持サーバ８００から曲情報を取得するのではなく、記録再生装置１００自身が保持する曲情報を表示画面５０１へ表示させることになる。表示画面５０１に曲情報５０２を表示させる処理は、例えばリモコン５０３によって行う。
【００８３】
図１１は、本発明の実施の形態における記録再生装置１００においてＢＧＭデータに対応する曲のタイトル名、アーティスト名および曲の詳細情報を表示させた表示画面の一例を示す図である。表示画面５０１には、曲のタイトル名、アーティスト名および曲の詳細情報を含んだ曲情報５１１が表示されている。曲の詳細情報は、例えば、その曲が使われた映画名やその曲がそのアーティストにとって何作目の曲であるなど曲に関する情報である。表示画面５０１中に表示されたアーティスト詳細５１２を、例えばリモコン５０３によって選択するとアーティストの詳細情報が表示される。
【００８４】
表示画面５０１に表示された購入マーク５１３を、例えばリモコン５０３によって選択すると表示画面５０１には曲データ販売情報が表示される。「閉じる」を選択すると曲情報５１１が表示画面５０１に表示されなくなる。
【００８５】
図１２は、本発明の実施の形態における記録再生装置１００においてＢＧＭデータに対応する曲のタイトル名、アーティスト名およびアーティストの詳細情報を表示させた表示画面の一例を示す図である。表示画面５０１には、曲のタイトル名、アーティスト名およびアーティストの詳細情報を含んだ曲情報５２１が表示されている。アーティストの詳細情報は、例えばアーティストの出身地、デビューまでの経緯および特徴などに関する情報である。表示画面５０１中に表示された曲詳細５２２を、例えばリモコン５０３によって選択すると曲の詳細情報が表示される。
【００８６】
図１３は、発明の実施の形態における記録再生装置１００においてＢＧＭデータに対応する曲の曲データ販売情報を表示させた表示画面の一例を示す図である。表示画面５０１中に、曲データ販売情報５３１が表示されている。曲データ販売情報５３１は、曲のタイトル名およびアーティスト名を含む曲情報５３２と、チェックボックス５３３と、種類５３４と、タイトル５３５と、価格５３６と、詳細５３７と、購入マーク５３８と、「閉じる」マーク５３９とから構成されている。
【００８７】
曲データ販売情報５３１においてユーザーが購入したい商品があった場合、チェックボックス５３３をチェックするとチェックマークが表示される。種類は、例えば、ＭＰ３、シングルＣＤ、アルバムＣＤ、楽譜、着信音楽などのような商品の種類を示す情報である。タイトル５３５は、商品のタイトル名を示す情報である。価格５３６は、商品の価格を示す情報である。ユーザーが詳細５３７を選択すると商品に対応する曲の詳細情報またはアーティストの詳細情報が表示される。
【００８８】
ユーザーが購入したい商品のチェックボックス５３３をチェックし、購入マーク５３８を選択すると購入手続きに入る。また、「閉じる」マーク５３９を選択すると曲データ販売情報５３１は表示画面５０１において表示されなくなる。
【００８９】
図１４は、発明の実施の形態における記録再生装置１００において購入マーク５３８を選択した後の表示画面の一例を示す図である。図１３において購入したい商品に対応するチェックボックス５３３にチェックを入れ、購入マーク５３８を選択すると購入確認表示５４１が表示画面５０１に表示される。購入確認表示５４１は、曲のタイトル名およびアーティスト名を含んだ曲情報５４２と、種類５４３と、タイトル５４４と、価格５４５と、「ＯＫ」マーク５４６と、「キャンセル」マーク５４７とから構成されている。
【００９０】
ユーザーにこの購入確認表示５４１中の曲のタイトル名およびアーティスト名を含んだ曲情報５４２と、種類５４３と、タイトル５４４と、価格５４５とを確認させる。ユーザーにおいてこの情報で問題なければ「ＯＫ」マーク５４６を選択させ、購入手続き処理が行われる。購入確認表示５４１中の情報に問題があれば、「キャンセル」マーク５４７を選択させることによって、購入手続き処理が中止される。
【００９１】
図１５は、発明の実施の形態における記録再生装置１００において蓄積されたＢＧＭデータに関する情報のＢＧＭデータ一覧を表示させた表示画面の一例を示す図である。リモコン５０３によってＢＧＭデータ一覧を表示させるように選択するとＢＧＭデータ一覧表示５５１が表示画面５０１において表示される。ＢＧＭデータ一覧表示５５１は、タイトル５５２と、アーティスト５５３と、時間５５４と、詳細５５５と、「再生」マーク５５６と、「閉じる」マーク５５７とから構成される。
【００９２】
ＢＧＭデータ一覧表示５５１に表示された情報は、発明の実施の形態における記録再生装置１００において蓄積されたＢＧＭデータの情報である。このＢＧＭデータ一覧表示５５１を見てユーザーが再生させたいＢＧＭデータを選択する。選択した後、「再生」マーク５５６を選択するとその選択したＢＧＭデータに対応する曲データおよび放送データが再生される。「閉じる」マーク５５７を選択するとＢＧＭデータ一覧表示５５１は表示画面５０１において表示されない。
【００９３】
次に本発明の実施の形態における記録再生装置１００の動作について図面を参照して説明する。
【００９４】
図１６は、ＢＧＭ検出モジュール３２０の処理の流れを示す図である。放送データを記録媒体から読み出し、字幕取得モジュール３７０において放送データ中に含まれる字幕情報を取り出す（Ｓ９１１）。なお、放送データは、放送局６００から受信した放送データであってもよい。この取り出された字幕情報中から、ＢＧＭ検出モジュール３２０においてＢＧＭデータを識別する情報（例えば、「♪」マーク）のがあるか否かが判断される（Ｓ９１２）。
【００９５】
ＢＧＭ検出モジュール３２０においてＢＧＭデータを識別する情報があると判断されると、次にＢＧＭデータを検出し、ＢＧＭデータが流れているか否かが判断される（Ｓ９１３）。ＢＧＭデータが流れていないと判断されるとその直後にＢＧＭデータが流れ始める旨の情報（ＯＦＦ→ＯＮ）をＢＧＭ関連情報生成モジュール３３０に送信する（Ｓ９１４）。一方、ＢＧＭデータが流れていると判断されるとステップＳ９１１に戻る。
【００９６】
ＢＧＭデータを識別する情報が検出された後、実際にＢＧＭデータが流れるまでにはわずかながらタイムラグがある。これを利用してＢＧＭの開始タイミングを検出するものである。
【００９７】
ＢＧＭ検出モジュール３２０においてＢＧＭデータを識別する情報がないと判断されると、次にＢＧＭデータを検出し、ＢＧＭデータが流れているか否かが判断される（Ｓ９１５）。ＢＧＭデータが流れていると判断されるとＢＧＭデータがその直後に流れ終わる旨の情報（ＯＮ→ＯＦＦ）をＢＧＭ関連情報生成モジュール３３０に送信する（Ｓ９１６）。一方、ＢＧＭデータが流れていないと判断されると再びステップＳ９１１からの処理が繰り返される。
【００９８】
後述するようにＢＧＭデータが所定時間後に流れ終わる旨の情報（ＯＮ→ＯＦＦ）をＢＧＭ関連情報生成モジュール３３０において受け取るとその後、関連情報生成モジュール３３０は曲情報を非表示にする。字幕情報においてＢＧＭデータを識別する情報が検出された後、所定時間はＢＧＭデータが流れるがこの所定時間後は、ＢＧＭデータが流れなくなる。ＢＧＭデータが流れ終わった後は曲情報を非表示にする必要がある。所定時間後に曲情報を非表示にすべき旨を知らせるため、ステップＳ９１５およびステップＳ９１６を行っている。
【００９９】
図１７は、ＢＧＭ関連情報生成モジュール３３０における処理の流れを示す図である。ＢＧＭ検出モジュール３２０からのメッセージを受信すると（Ｓ９２１）、ＢＧＭ関連情報生成モジュール３３０においてメッセージの内容が判断される（Ｓ９２２）。メッセージの内容がＢＧＭデータが流れ始めた旨の情報（ＯＦＦ→ＯＮ）である場合、ＢＧＭ再生／記録制御要求モジュール３３１は放送データＩＤおよびタイムコードの要求を行い、放送データＩＤおよびタイムコードを取得する（Ｓ９２３）。
【０１００】
ＢＧＭ関連情報取得モジュール３３３は、曲情報保持サーバ８００に対しＢＧＭデータの波形データを送信する（Ｓ９２４）。これにより、曲情報保持サーバ８００において、送信されてきたＢＧＭデータの波形データに対応する曲情報があるか否かが判断される（Ｓ９２５）。曲情報が存在するとＢＧＭ関連情報取得モジュール３３３は、曲情報を取得する（Ｓ９２６）。ＢＧＭ関連情報ＧＵＩ表示要求モジュール３３２は、ステップＳ９２６において取得された曲情報を表示させる（Ｓ９２７）。ＢＧＭ関連情報管理モジュール３３４は、ステップＳ９２３およびステップＳ９２６において取得された情報を関連付けてＢＧＭ関連情報データベース３５０に保存させる（Ｓ９２８）。
【０１０１】
メッセージの内容が、ＢＧＭデータが所定時間後に流れ終わる旨の情報（ＯＮ→ＯＦＦ）である場合、ＢＧＭ再生／記録制御要求モジュール３３１は放送データＩＤおよびタイムコードの要求を行い、放送データＩＤおよびタイムコードを取得する（Ｓ９２９）。ＢＧＭ関連情報ＧＵＩ表示要求モジュール３３２は、表示画面上の曲情報を非表示にする（Ｓ９３０）。ＢＧＭ関連情報管理モジュール３３４は、ステップＳ９２９において取得された情報を関連付けてＢＧＭ関連情報データベース３５０に保存させる（Ｓ９３１）。
【０１０２】
図１８は、本発明の実施の形態においてＢＧＭ関連情報商品購買モジュール３４０の処理の流れを示す図である。あるＢＧＭデータ曲に対応する曲データ販売情報についての要求があると（Ｓ９４１）、ＢＧＭ関連情報商品購買モジュール３４０は、ＢＧＭ関連情報取得モジュール３３３に曲データ販売情報をインターネット上から検索するようメッセージを送る（Ｓ９４２）。曲データ販売情報が検索されなかった場合、ＢＧＭ関連情報商品購買モジュール３４０は、ＢＧＭ関連情報ＧＵＩ表示要求モジュール３３２に曲データ販売情報が存在しない旨を表示させるようメッセージを送る（Ｓ９６０）。
【０１０３】
一方、曲データ販売情報が検索されると、ＢＧＭ関連情報商品購買モジュール３４０は、ＢＧＭ関連情報ＧＵＩ表示要求モジュール３３２に曲データ販売情報を表示させるようメッセージを送る（Ｓ９４４）。次に表示された曲データ販売情報中の商品を購入する要求があると（Ｓ９５５）、ＢＧＭ関連情報商品購買モジュール３４０は、その商品がダウンロード可能なものか否かを判断する（Ｓ９５６）。
【０１０４】
その商品がダウンロード可能なものである場合、ＢＧＭ関連情報商品購買モジュール３４０は、ユーザーにその商品をダウンロードさせる機器を選択させる（Ｓ９５７）。機器を選択させると、ＢＧＭ関連情報商品購買モジュール３４０は、その商品を選択された機器にダウンロードさせる（Ｓ９５８）。一方、その商品がダウンロード可能でない場合、商品発送手続きをユーザーに行わせる（Ｓ９５９）。
【０１０５】
図１９は、ＢＧＭデータに対応する曲データおよび放送データを再生させる処理の流れを示す図である。再生すべきＢＧＭデータの要求があると（Ｓ９７１）、ＢＧＭ関連情報管理モジュール３３４は、ＢＧＭ関連情報データベース３５０から要求されたＢＧＭデータを検索する（Ｓ９７２）。検索の結果、要求されたＢＧＭデータが存在しないと判断された場合、処理は終了する（Ｓ９７６）。
【０１０６】
検索の結果、要求されたＢＧＭデータが存在すると判断された場合、ＢＧＭ関連情報管理モジュール３３４において、ＢＧＭデータに対応する曲データがあるか否かが判断される（Ｓ９７４）。ＢＧＭ関連情報データベース３５０においてＢＧＭ所在が保持されていることから、このような判断が可能となる。
【０１０７】
ＢＧＭデータに対応する曲データが存在しないと判断されると、ＢＧＭ再生／記録制御要求モジュール３３１は、ＢＧＭデータに対応する放送データの再生を行うよう要求する。この要求を受けて再生／記録制御モジュール３８０は、ＢＧＭデータに対応する放送データの再生を行う。
【０１０８】
ＢＧＭデータに対応する曲データが存在すると判断されると、ＢＧＭ再生／記録制御要求モジュール３３１は、曲データおよび対応する放送データを再生すべき要求を行う。この際、放送データに含まれる音声データは再生させないよう再生／記録制御モジュール３８０は、ミュート処理（消音処理）を行い、放送データを再生させる（Ｓ９７５）。
【０１０９】
図２０は、本発明の実施の形態における記録再生装置１００に音楽ディスクを挿入したときの処理の流れを示す図である。音楽ディスクが記録再生装置１００に挿入されると、ＢＧＭ関連情報取得モジュール３３３は、音楽ディスク中にある曲データの波形データを曲情報保持サーバ８００へ送信し、送信した曲データの波形データに基づいて対応する曲情報を検索させる（Ｓ９８１）。
【０１１０】
検索の結果、曲情報が存在すると（Ｓ９８２）、その情報をＢＧＭ関連情報取得モジュール３３３は取得し、ＢＧＭ関連情報管理モジュール３３４は、その取得した曲情報と同一の曲情報があるか否かＢＧＭ関連情報データベース３５０から検索する（Ｓ９８３）。
【０１１１】
検索の結果、ＢＧＭ関連情報データベース３５０に取得した曲情報と同一の曲情報があると判断されると、その曲情報に対応する放送データを再生するようＢＧＭ再生／記録制御要求モジュール３３１は要求する。その要求を受けると、放送データに含まれる音声データは再生させないよう再生／記録制御モジュール３８０は、ミュート処理（消音処理）を行い、放送データを再生させる（Ｓ９８５）。なお、曲情報に対応する放送データが複数ある場合には、各放送データは、繋ぎ合わされて再生される。これにより、ドラマのダイジェスト版が作成可能になる。また、再生／記録制御モジュール３８０は、音楽ディスク中の曲データも再生させる（Ｓ９８６）。ステップＳ９８２およびステップＳ９８４において、曲情報が存在しないと判断されると、再生／記録制御モジュール３８０は、音楽ディスク中の曲データのみを再生させる（Ｓ９８６）。
【０１１２】
このように、本発明の実施の形態によれば、ＢＧＭデータ基づいて曲データ、放送データおよび曲情報を関連付けて保持でき、この関連付けを利用して曲データ、放送データおよび曲情報を表示させることができる。
【０１１３】
なお、以上の説明の中で用いた曲情報は、曲に関するメタデータである。また、関連付け情報は、放送データ、音楽データおよび曲情報を関連付けたメタデータである。また、曲の詳細情報は、曲に関するメタデータである。また、アーティストの詳細情報は、アーティストに関するメタデータである。また、曲データ販売情報は、曲データの販売に関するメタデータである。また、曲データに関連する商品の販売情報は、曲データに関連する商品の販売に関するメタデータである。
【０１１４】
なお、本発明の実施の形態は本発明を具現化するための一例を示したものであり、以下に示すように特許請求の範囲における発明特定事項とそれぞれ対応関係を有するが、これに限定されるものではなく本発明の要旨を逸脱しない範囲において種々の変形を施すことができる。
【０１１５】
すなわち、請求項１において、放送データ保持手段は、例えば放送データ保持部２０１に対応する。また、音楽データ検出手段は、例えば音楽データ検出部２０２に対応する。また、第１の曲情報取得手段は、例えば曲情報取得部２０３に対応する。また、関連情報生成手段は、例えば関連情報生成部２０４に対応する。また、関連情報保持手段は、例えば関連情報保持部２０５に対応する。
【０１１６】
また、請求項３において、曲情報保持手段は、例えば曲情報保持サーバ８００と同様の機能を備えた図示しない曲情報保持部に対応する。
【０１１７】
また、請求項６において、曲データ取得手段は、例えば曲データ販売情報取得部２０７および操作部２０８に対応する。
【０１１８】
また、請求項７において、曲データ販売情報取得手段は、例えば曲データ販売情報取得部２０７に対応する。また、操作手段は、例えば操作部２０８に対応する。
【０１１９】
また、請求項９において、曲データ再生要求手段は、例えば音楽データ一覧生成部２０６と操作部２０８に対応する。
【０１２０】
また、請求項１０において、音楽データ一覧生成手段は、例えば音楽データ一覧生成部２０６に対応する。また、操作手段は、例えば操作部２０８に対応する。
【０１２１】
また、請求項１２において、第２の曲情報取得手段は、例えば曲情報取得部２０３に対応する。また、曲情報検索手段は、例えば曲情報検索部２１０に対応する。また、曲データ再生手段は、例えば曲データ保持部２０９、音声制御部１０７および音声出力部１１１に対応する。
【０１２２】
また、請求項１３において、受信手段は、例えば受信部１０２に対応する。また、音楽データ検出手段は、例えば音楽データ検出部２０２に対応する。また、曲情報取得手段は、例えば曲情報取得部２０３に対応する。また、表示手段は、例えば表示制御部１０８および表示部１１２に対応する。
【０１２３】
また、請求項１４において、放送データ保持手段は、例えば放送データ保持部２０１に対応する。また、音楽データ検出手段は、例えば音楽データ検出部２０２に対応する。また、曲情報取得手段は、例えば曲情報取得部２０３に対応する。また、関連情報生成手段は、例えば関連情報生成部２０４に対応する。また、関連情報保持手段は、例えば関連情報保持部２０５に対応する。また、曲情報保持サーバは、例えば曲情報保持サーバ８００に対応する。
【０１２４】
また、請求項１５において、音楽データ検出手順は、例えばステップＳ９１２乃至ステップＳ９１６に対応する。また、曲情報取得手順は、例えば、ステップＳ９２４乃至ステップＳ９２６に対応する。また、関連情報生成手順および関連情報保持手順は、例えばステップＳ９２８またはステップＳ９３１に対応する。
【０１２５】
また、請求項１６において、受信手順は、ステップＳ９１１に対応する。また、音楽データ検出手順は、例えばステップＳ９１２乃至ステップＳ９１６に対応する。また、曲情報取得手順は、例えば、ステップＳ９２４乃至ステップＳ９２６に対応する。また、表示手順は、例えばステップＳ９２７またはステップＳ９３０に対応する。
【０１２６】
また、請求項１７において、音楽データ検出ステップは、例えばステップＳ９１２乃至ステップＳ９１６に対応する。また、曲情報取得ステップは、例えば、ステップＳ９２４乃至ステップＳ９２６に対応する。また、関連情報生成ステップおよび関連情報保持ステップは、例えばステップＳ９２８またはステップＳ９３１に対応する。
【０１２７】
また、請求項１８において、受信ステップは、ステップＳ９１１に対応する。また、音楽データ検出ステップは、例えばステップＳ９１２乃至ステップＳ９１６に対応する。また、曲情報取得ステップは、例えば、ステップＳ９２４乃至ステップＳ９２６に対応する。また、表示ステップは、例えばステップＳ９２７またはステップＳ９３０に対応する。
【０１２８】
なお、本発明の実施の形態において説明した処理手順は、これら一連の手順を有する方法として捉えてもよく、また、これら一連の手順をコンピュータに実行させるためのプログラム乃至そのプログラムを記憶する記録媒体として捉えてもよい。
【図面の簡単な説明】
【０１２９】
【図１】本発明の実施の形態における記録再生システムの構成の一例を示す図である。
【図２】本発明の実施の形態における記録再生装置１００の構成の一例を示す図である。
【図３】音楽データに基づいて曲データと放送データを再生させる本発明の実施の形態における再生機能の構成の一例を示す図である。
【図４】本発明の実施の形態における記録再生装置１００のソフトウェア構成の一例を示す図である。
【図５】ＢＧＭ関連情報データベース３５０の構成の一例を示す図である。
【図６】本発明の実施の形態において用いられるメッセージのフォーマットとメッセージＩＤの種類を示す図である。
【図７】メッセージＩＤ「００１」乃至「００３」におけるメッセージの内容を示す図である。
【図８】メッセージＩＤ「００４」乃至「００６」におけるメッセージの内容を示す図である。
【図９】メッセージＩＤ「００７」乃至「００９」におけるメッセージの内容を示す図である。
【図１０】本発明の実施の形態における記録再生装置１００においてＢＧＭデータに対応する曲のタイトル名およびアーティスト名を表示させた表示画面の一例を示す図である。
【図１１】本発明の実施の形態における記録再生装置１００においてＢＧＭデータに対応する曲のタイトル名、アーティスト名および曲の詳細情報を表示させた表示画面の一例を示す図である。
【図１２】本発明の実施の形態における記録再生装置１００においてＢＧＭデータに対応する曲のタイトル名、アーティスト名およびアーティストの詳細情報を表示させた表示画面の一例を示す図である。
【図１３】発明の実施の形態における記録再生装置１００においてＢＧＭデータに対応する曲の曲データ販売情報を表示させた表示画面の一例を示す図である。
【図１４】発明の実施の形態における記録再生装置１００において購入マーク５３８を選択した後の表示画面の一例を示す図である。
【図１５】発明の実施の形態における記録再生装置１００において蓄積されたＢＧＭデータに関する情報の一覧を表示させた表示画面の一例を示す図である。
【図１６】本発明の実施の形態におけるＢＧＭ検出モジュールの処理の流れを示す図である。
【図１７】本発明の実施の形態におけるＢＧＭ関連情報生成モジュール３３０における処理の流れを示す図である。
【図１８】本発明の実施の形態においてＢＧＭ関連情報商品購買モジュール３４０の処理の流れを示す図である。
【図１９】本発明の実施の形態におけるＢＧＭデータに対応する曲データおよび放送データを再生させる処理の流れを示す図である。
【図２０】本発明の実施の形態における記録再生装置１００に音楽ディスクを挿入したときの処理の流れを示す図である。
【符号の説明】
【０１３０】
２０１  放送データ保持部
２０２  音楽データ検出部
２０３  曲情報取得部
２０４  関連情報生成部
２０５  関連情報保持部
２０６  音楽データ一覧生成部
２０７  曲データ販売情報取得部
２０８  操作部
２０９  曲データ保持部
２１０  曲情報検索部
３００  ＢＧＭ管理システム
３１０  ＢＧＭ関連メッセージ送受信モジュール
３２０  ＢＧＭ検出モジュール
３３０  ＢＧＭ関連情報生成モジュール
３３１  ＢＧＭ再生／記録制御要求モジュール
３３２  ＢＧＭ関連情報ＧＵＩ表示要求モジュール
３３３  ＢＧＭ関連情報取得モジュール
３３４  ＢＧＭ関連情報管理モジュール
３４０  ＢＧＭ関連情報商品購買モジュール
３５０  ＢＧＭ関連情報データベース
３７０  字幕取得モジュール
３８０  再生／記録制御モジュール
３９０  ＧＵＩ制御モジュール
【図１】
2006301448.tif 000003
【図２】
2006301448.tif 000004
【図３】
2006301448.tif 000005
【図４】
2006301448.tif 000006
【図５】
2006301448.tif 000007
【図６】
2006301448.tif 000008
【図７】
2006301448.tif 000009
【図８】
2006301448.tif 000010
【図９】
2006301448.tif 000011
【図１０】
2006301448.tif 000012
【図１１】
2006301448.tif 000013
【図１２】
2006301448.tif 000014
【図１３】
2006301448.tif 000015
【図１４】
2006301448.tif 000016
【図１５】
2006301448.tif 000017
【図１６】
2006301448.tif 000018
【図１７】
2006301448.tif 000019
【図１８】
2006301448.tif 000020
【図１９】
2006301448.tif 000021
【図２０】
2006301448.tif 000022